(57)【特許請求の範囲】
【請求項１】
少なくとも２つの型半部（１，２）を有し、これらの型半部（１，２）の少なくとも１つの型半部（１）が他の型半部（２）に対し相対的に、射出成形型を開閉するために移動可能であり、アクチュエータ（３ａ）と該アクチュエータ（３ａ）の作用によって信号を発するセンサエレメント（３ｂ）によって射出成形型の閉鎖過程の数を検出する電子的なカウンタ（４ａ）を有する計数装置を備えている射出成形型において、前記センサエレメント（３ｂ）が第１のケーシング（３）内に配置されており、前記カウンタ（４ａ）が前記第１のケーシング（３）の外側に配置され、前記センサエレメント（３ｂ）と電気的な接続導体（５）を介して接続されており、監視エレメント（６）が存在し、該監視エレメント（６）によって前記センサエレメント（３ｂ）と前記カウンタ（４ａ）との間の接続の分離が検出可能であることを特徴とする、射出成形型。
【請求項２】
前記アクチュエータ（３ａ）が前記第１のケーシング（３）に配置されている、請求項１記載の射出成形型。
【請求項３】
前記第１のケーシング（３）内に取外しセンサ（８）が配置され、この取外しセンサ（８）によって射出成形型からの前記第１のケーシング（３）の取外しが検出可能である、請求項１又は２記載の射出成形型。
【発明の詳細な説明】
【技術分野】
【０００１】
本発明は、少なくとも２つの型半部を有し、これらの型半部の少なくとも１つの型半部が他の型半部に対し相対的に、射出成形型を開閉するために移動可能であり、アクチュエータと該アクチュエータの作用によって信号を発するセンサエレメントによって射出成形型の閉鎖過程の数を検出する電子的なカウンタを有する計数装置を備えている、請求項１の上位概念に記載した射出成形型に関する。
【背景技術】
【０００２】
このような射出成形型は例えばＤＥ２０３０８８８０．８Ｕ１号明細書により公知である。
【０００３】
前記公知の射出成形型は十分に評価されてはいるが、それでも計数装置がかなり大きいという欠点を有している。これにより、計数装置は当該型半部からはっきりと突出し、この結果、計数装置に物が衝突しかつ計数装置が損傷される惧れがある。さらに比較的に大きな構成形態は、計数装置が場合によっては機械的なカウンタの組込みのために当該型半部に設けられた切欠き内に配置できないという欠点を有している。
【特許文献１】ＤＥ２０３０８８８０．８Ｕ１号明細書
【発明の開示】
【発明が解決しようとする課題】
【０００４】
本発明の課題は計数装置が当該型半部から突出しなくなるか又は突出したとしてもわずかにしか突出しないように冒頭に述べた射出成形型を提供することである。
【課題を解決するための手段】
【０００５】
本発明の課題は請求項１の特徴部に記載された構成によって解決された。本発明の有利な構成は従属請求項に開示してある。
【０００６】
本発明によれば少なくとも２つの型半部を有し、該型半部の少なくとも１つの型半部が他の型半部に対して相対的に当該射出成形型を開閉するために移動可能であり、アクチュエータとアクチュエータの作用によって信号を発する第１のセンサエレメントとによって当該射出成形型の閉鎖過程の数を検出する電子的なカウンタを有する計数装置を備えた射出成形型において、前記第１のセンサエレメントが第１のケーシング内に配置されかつ前記カウンタが前記第１のケーシングの外側に配置されておりかつ前記第１のセンサエレメントと電気的な接続導体を介して接続されていることを特徴としている。
【０００７】
第１のセンサエレメントが第１のケーシング内に配置されており、かつカウンタが第１のケーシングの外側に配置されていることによって第１のケーシングはきわめて小さく構成することができる。これによって第１のケーシングは当該型半部からわずかにしか突出しなくなる。したがって損傷の危険はきわめて小さくなる。
【０００８】
第１のケーシングのきわめて小さな構成形態により、該第１のケーシングを、当該型半部に場合によっては存在する切欠き内に配置することができる。特に第１のケーシングを例えば当該型半部の切欠き内に配置された機械的なカウンタのケーシングに相応して構成でき、これによって機械的なカウンタを問題なく本発明の計数装置によって置換えることができるようになる。これは、適当に構成された既存の射出成形型を問題なくあとから変更できるためにきわめて有利である。
【０００９】
さらにアクチュエータが第１のケーシングに配置されている本発明の実施形態が有利であることが確認された。これにより計数装置の構成形態はきわめて簡易化される。この場合にはアクチュエータと第１のセンサエレメントとを有する１つのエレメントしか存在しなくなる。これは計数装置の取付けもしくは場合によっては必要な計数装置の交換を簡易化する。何故ならば１つのエレメントしか該当する型半部には配置する必要がないからである。
【００１０】
本発明の別の特別な実施形態では第１のケーシングに、電気的な導体を介して第１のケーシングの外側に配置された評価ユニットと結合された別のセンサエレメントが配置されている。これによって簡単な形式で射出成形型の他のパラメータ、例えば温度又は圧力を検出することができる。
【００１１】
前記別のセンサエレメントは評価ユニットから分離されているのできわめて小さく構成でき、問題なく第１のケーシング内に配置可能である。
【００１２】
前記別のセンサエレメントを評価ユニットと接続することは、事情によっては第１のセンサエレメントが電子的なカウンタと接続されている電機的な導体と同じ導体を介して行なうことができる。前記電気的な導体が複数の接続線として構成されている限り、当該接続線は平行に案内されるかもしくは共通の被覆体内で案内されていることができる。しかしながら、データ伝送分野にて公知である他の電気的な導体を使用することもできる。例えば電気的な導体を無線区間として構成しかつ／又はデータ伝送をいわゆるバス接続を介して行なうこともできる。
【００１３】
きわめて有利である本発明の実施例は、第１のセンサエレメントとカウンタとの間の接続の分離の継続時間及び／又は別のセンサエレメントと評価ユニットとの間の接続の分離の継続時間が検出可能である監視エレメントを有している。これによって例えばカウンタとセンサエレメントとの間の接続が認識されずに遮断され、この時期に行なわれる射出成形型の閉鎖過程が検出されないことが阻止される。
【実施例】
【００１４】
以後、本発明の実施例を図面に基づき説明する。
【００１５】
図１に示されているように射出成形型は主として第１の型半部１と第２の型半部２とから成っている。第１の型半部１は第２の型半部２に対し相対的に可動である。雌型又は型巣を有する型板は図面を見やすくするために図示されていない。
【００１６】
第１の型半部１には切欠き内に第１のケーシング３が配置されており、該第１のケーシング３内にはピン形に構成されたアクチュエータ３ａが軸方向に摺動可能に配置されている。
【００１７】
特に図２から判るように第１のケーシング３内には圧電素子として構成された第１のセンサエレメント３ｂが、第１のケーシング３内への軸方向の運動を該第１のセンサエレメント３ｂが実施すると、アクチュエータ３が第１のセンサエレメント３ｂに力を生ぜしめるように配置されている。これによって第１のセンサエレメント３ｂが信号を発する。
【００１８】
第１のセンサエレメント３ｂから発せられた信号は、接続線材として構成された電気的な導体５を介して、第２のケーシング４内に配置された電子的なカウンタ４ａに導かれる。第２のケーシング４は図３に示されている。この第２のケーシング４は有利には該当する射出成形機の操作ボードに配置される。
【００１９】
さらに第１のケーシング３には、取外しセンサ８が配置されている。この取外しセンサ８によっては、第１のケーシング３が第１の型半部１の切欠き内に配達されているか否かもしくは第１のケーシング３が第１の型半部１の切欠き内に何時から配置されていないかかつどのくらいの時間配置されていなかったのかが検出できる。取外しセンサ８により発信された信号は導体５を用いて、第２のケーシング４内に配置された評価ユニットに導かれる。そこで信号は公知の形式で評価されかつ後続処理される。
【００２０】
第２のケーシング４においては監視エレメント６が配置され、この監視エレメント６によって第１のセンサエレメント３ｂと電子的なカウンタ４ａとが監視される。これによって第１のケーシング３と第２のケーシング４との間に接続が存在しているか否か又はその接続が何時から、場合によってはどのくらいの時間存在していなかったかを確認することができる。
【００２１】
第１のケーシング３の寸法は従来、射出成形型にて使用された機械的なカウンタの寸法に相当する。機械的なカウンタは問題なく第１のケーシング３と交換可能である。
【図面の簡単な説明】
【００２２】
【図１】２つの型半部を有する射出成形型であって、切欠き内に配置された第１のケーシング内にセンサエレメントとアクチュエータとが配置されている射出成形型を開放状態で示した図。
【図２】図１に示した第１のケーシングを拡大して示した図。
【図３】電子的なカウンタと評価ユニットとが配置されている第２のケーシングの拡大図。
【符号の説明】
【００２３】
１  型半部
２  型半部
３  第１のケーシング
３ａ  アクチュエータ
３ｂ  第１のセンサエレメント
４  第２のケーシング
４ａ  カウンタ
５  電気的な導体
６  監視エレメント
８  取外しセンサ
【図１】
0004512073.tif 000002
【図２】
0004512073.tif 000003
【図３】
0004512073.tif 000004